(57)【要約】      （修正有）【課題】設置された墓石の遮蔽に使用して耐久性のある、デザイン性のパーティションに置いて、長方体の家庭墓石用目隠し柵を提供する。【解決手段】風雨に晒される墓石設置されている場所を目隠・仕切りできる目隠し柵１であって、設置されたミニ墓石の周囲１〜４面に固定できるように、当該目隠し柵１に、樹脂処理したゴムの木材、アルミニウムを使用して、幅５００〜１０００ｍｍ、高さ７００〜１５００ｍｍの寸法の長方枠体、又は正方枠体３で、当該目隠し柵１の内面に７〜１５ｍｍ幅の格子２を縦並び、横並び、縦横十文字並びにして、格子２間の間隔を縦横それぞれ３０〜１００ｍｍの状態である格子組子状、又は柵状によって構成された格子組子状長方体、又は格子組子状正方体の１〜４面体を墓石本体の周囲に設置できる。【選択図】図１
0003217180.tif 000002
【実用新案登録請求の範囲】
【請求項１】
風雨に晒される墓石設置されている場所を目隠・仕切りできる目隠し柵において、設置されたミニ墓石の周囲１〜４面に固定できるように、当該目隠し柵に、樹脂処理したゴムの木材、又は樹脂、又はアルミニウム材を格子桟として使用して、幅５００〜１０００ｍｍ、高さ７００〜１５００ｍｍの寸法の長方枠体、又は正方枠体で、当該目隠し柵の内面に７〜１５ｍｍ幅の格子桟を縦並び、横並び、縦横十文字並びにして、格子間の間隔を縦横それぞれ３０〜１００ｍｍの状態である格子組子状、又は柵状によって構成された格子組子状長方体、又は格子組子状正方体の１〜４面体を墓石本体の周囲に設置できることを特徴とする家庭墓石用目隠し柵。
【請求項２】
目隠し柵の格子組子状長方体、又は格子組子状正方体における目隠し柵に使用された、樹脂処理したゴムの木材、又は装飾材で被覆した樹脂、又はアルミニウム材、フェノール樹脂を含侵処理したゴムの木材は、厚さ３０〜５０ｍｍ、幅３０〜６０ｍｍの２本縦枠と、厚さ３０〜５０ｍｍ、幅５０〜１００ｍｍの上下枠でなり、内部に張る格子の板材として、幅７〜１２ｍｍの格子桟で縦並び、横並び、縦横十文字並びにして組み立てられた１〜５種類の格子組子で構成されており、装飾性、目隠し性、通気性を向上させるために、内部に格子間隔と特殊格子組子として仏門の模様を入れた曲り模様、並びに幾何学模様の格子組子を適切な間隔に設けていることを特徴とする請求項１に記載の家庭墓石用目隠し柵。
【請求項３】
前記目隠し柵の格子組子状長方体、又は格子組子状正方体は、上部に飾り模様のＲ曲状を設けた据え付け型及び移動型であって、装飾的格子組子を内部に持つ目隠し柵の長方枠体、正方枠体を１〜４面体を個々に、或いは連結して、安定的に固定していることを特徴とする請求項１、又は請求項２に記載の家庭墓石用目隠し柵。
【考案の詳細な説明】
【技術分野】
【０００１】本考案は、風雨に晒される墓石設置されている場所を遮蔽できる木製、金属製パーティション的目隠し柵であって、当該木製、樹脂製、金属製パーティション的目隠し柵にゴムの木材、又は樹脂、又はアルミニウム材を使用して格子組子の内面に装飾用特殊組子模様の格子体を取り付けている家庭墓石用目隠し柵に関する。
【背景技術】
【０００２】一般に大部屋の中でプライバシーの保持など仕切り、間仕切り、目隠し柵、パーティションを設けることが多い。しかし完全に仕切るか、装飾を持たせて、雰囲気を持たせながら間仕切り的に設置するかは種々ある。
室内との調和を十分に図ることができ、しかも光や風を通して快適な住空間を確保することができるパーティションを提供するために、方形枠状の木製フレームと、このフレーム内に差し渡された複数の木製縦桟及び木製横桟とから格子状に形成されたパーティションを、室内の天井面と床面とに跨るようにして建て込むものが提案されている（特許文献１参照）。しかしこのものは屋外に使用できないものであり、また組子模様の特殊装飾性は施されていないものである。【０００３】間仕切りの施工に際し、従来の格子状の張り下骨組みを皆無にして工数を節減し、且つ間仕切り施工後に、間仕切りの表面建材に電気器具を取り付け、間仕切り内部を通り天井や床下へ電気配線が出来る、間仕切りの施工方法として、間仕切りの周囲枠に、複数の間仕切り用ペーパーコア入り芯材を所定の空洞を置いて配列し、ペーパーコア入り芯材の木桟を周囲枠に固定し、表裏両面にベニヤ板、石膏ボード、化粧板などを張り周囲枠に固定する方法が提案されている（特許文献２参照）。【０００４】従来の下地襖は、間仕切りとして使用される襖は、内外の温度差によって一方へ反りやすく、これによって襖表面の四隅から中心に向かう隅皺が入り見苦しい面もあったが、襖の下地襖は二本の縦框と二本の横框を有し、それらで囲まれた中には格子状に組まれた中骨が配設されている。縦框と横框と中骨で形成される骨部材の表裏両面には下地紙が張設されている。下地紙は、３尺×６尺の広さ当たりの重さが２３０ｇのものが使用されている。下地襖の四隅の枡の隅角部には、本質的に剛性を有する皺発生防止部材である紙製の角部コアが設けられている。角部コアにはフェザーコアが使用されており、剛性を付与する為に樹脂を含浸させてあるものも存在していた（特許文献３参照）。【０００６】木製の間仕切り、パーティションが提案されているが。装飾を持たせて、雰囲気を持たせながら間仕切り的に設置するものは少ない、とくに野外、屋外などで雨風に晒されても問題がない組子模様の特殊装飾性を施されているパーティションなるものは全く存在していない。
【先行技術文献】
【特許文献】
【０００７】
【特許文献１】特開２０００−１４４９８２号公報
【特許文献２】特開平１１−２９３８２６号公報
【特許文献３】特開平９−３１０５５９号公報
【考案の概要】
【考案が解決しようとする課題】
【０００８】野外、屋外で風雨に晒される墓石場所などで遮蔽部材に使用する木製、樹脂製、金属製パーティション的目隠し柵であって、正方升型の格子組子の内面に装飾用特殊組子模様の格子体を嵌め込んでいる墓石用木製パ−ティション的目隠し柵が、家庭の屋外に設置した墓石場所で本屋から目隠すために設置される遮蔽部材が望まれている。特に開放的な雰囲気の基に設置位置を遮蔽することは若干保たれるような装飾遮蔽板が期待されている。【０００９】住宅の庭に墓石を配置することによって、室内から直接に望めないように遮蔽板を取り付けた耐久性で、装飾性を持つパテッション的目隠し柵を付けるようにしたり、住宅の室内から直接に隠したりすることは、一般的に行われている。庭に置かれる墓石には、市販のパーティション等を配置すると、雨風には弱く、また普通の木材においては腐食、破損が激しい。また室内に備え付けの建具のような一般の周囲の雰囲気にマッチしたパーティション的目隠し柵では、室内野外の雰囲気との調和が、満足のいく装飾効果が得られなかった。【００１０】また、これら一般の木製パ−ティションを配置することによって、確かに視線を遮ることができるが、これと同時に光や風も遮ってしまうので、周囲の雰囲気の一部が暗くなったり、アンバランスになり、しかも風通しが悪くなるといった不具合もあった。しかも、これらは単に地面に載置しただけであって、人や物が衝突したり、地震等の揺れによって比較的簡単に転倒してしまといった不具合もあった。【００１１】本考案は、上記の不具合を解消して、庭の雰囲気との調和を十分に図ることができ、しかも光や風を通して快適な住空間を確保することができ、取り付強度も強いパーティション及びその取付構造の提供を目的として、本考案が解決しようとする課題はこれら問題点である、庭内でも耐久性があり、装飾性も増して、軽くて取扱いの便利な家庭墓石用に木製パ−ティション的目隠し柵を提供する。
【課題を解決するための手段】
【００１２】風雨に晒される墓石設置されている場所を目隠・仕切りできる目隠し柵において、設置されたミニ墓石の周囲１〜４面に固定できるように、当該目隠し柵に、樹脂処理したゴムの木材、又は樹脂、又はアルミニウム材を格子桟として使用して、幅５００〜１０００ｍｍ、高さ７００〜１５００ｍｍの寸法の長方枠体、又は正方枠体で、当該目隠し柵の内面に７〜１５ｍｍ幅の格子桟を縦並び、横並び、縦横十文字並びにして、格子間の間隔を縦横それぞれ３０〜１００ｍｍの状態である格子組子状、又は柵状によって構成された格子組子状長方体、又は格子組子状正方体の１〜４面体を墓石本体の周囲に設置できる家庭墓石用目隠し柵である。【００１３】目隠し柵の格子組子状長方体、又は格子組子状正方体における目隠し柵に使用された、樹脂処理したゴムの木材、又は装飾材で被覆した樹脂製、又はアルミニウム材において、フェノール樹脂を含侵処理したゴムの木材は、厚さ３０〜５０ｍｍ、幅３０〜６０ｍｍの２本縦枠と、厚さ３０〜５０ｍｍ、幅５０〜１００ｍｍの上下枠でなり、内部に張る格子の板材として、幅７〜１２ｍｍの格子桟で縦並び、横並び、縦横十文字並びにして組み立てられた１〜５種類の格子組子で構成されており、装飾性、目隠し性、通気性を向上させるために、内部に格子間隔と特殊格子組子として仏門の模様を入れた曲り模様、並びに幾何学模様の格子組子を適切な間隔で設けている。【００１４】前記目隠し柵の格子組子状長方体、又は格子組子状正方体は、上部に飾り模様のＲ曲状を設けた据え付け型及び移動型であって、装飾的格子組子を内部に持つ目隠し柵の長方枠体、正方枠体を１〜４面体を個々に、或いは蝶番的連結して、安定的に固定している。
【考案の効果】
【００１６】以上説明したように、本考案の風雨に晒される墓石設置されている場所を遮蔽できるパーティション的目隠し柵によると、目的場所に置かれる墓石には、市販の屏風やパーティション等を配置に比べて、雨風には強く、また樹脂処理したゴムの木、アルミニウム、樹脂の使用によって普通の木材の使用と比較して、腐食、破損が少ない。また室内に備え付けの建具のような一般のパーティション、目隠しでは、庭の雰囲気との調和が格子組子の模様によって墓石用パ−ティション的目隠し柵では装飾性が増して、設置周囲の雰囲気にマッチして、満足のいく装飾効果が得られた。【００１７】一般のパ−ティション的目隠し柵を配置することによって、確かに視線を遮ることができるが、これと同時に太陽光なども投影して幻想的な影絵をもたらし、室内、野外の雰囲気が一層明るくさせて、しかも組子のために風通しもよくて、気分的に朗らかな状態をもたらす。さらにこれらは床面あるいは地面に載置しただけであって、地震等の揺れによっても比較的簡単に転倒しないようになっている。【００１８】また所定の場所に置かれる墓石には、雨風には強く、また普通の木材ゴムの木、アルミニウム、ステンレススチールに比べて腐食、破損は少なく。また室内に備え付けの建具のような一般の格子入りパーティションでは、屋外の雰囲気との調和がとれて、格子模様によって満足のいく装飾効果が得られた。
【図面の簡単な説明】
【００１９】
【図１】墓石用目隠し柵の斜視図  Ａ：平面  Ｂ：斜視
【図２】墓石用目隠し柵の格子組子の形状体の状態正面図  Ａ：縦並び  Ｂ：横並び  Ｃ：縦横十文字並び  Ｄ：糸屋格子  Ｅ：おぼろ格子  Ｆ：細格子
【図３】墓石用目隠し柵の連結状態での斜視図  Ａ：二連結状態  Ｂ：三連結状態  Ｃ：二連結状態の二体
【図４】墓石用目隠し柵の連結状態での平面図  Ａ：長方体の中心部の模様体  Ｂ：正方体の中心部に仏門模様
【図５】墓石用目隠し柵の墓石に使用状態した状態図
【考案を実施するための形態】
【００２０】以下、本考案の実施形態について図面に基づいて説明する。図１は、屋外用木製格子入りパ−ティションの斜視図、図２は、屋外用木製格子入りパ−ティションの格子式組子の嵌め込み状態の正面図、図３は、屋外用木製格子入りパ−ティションの三連使用状態の図である。図４は使用状態図を示す。
【実施例１】
【００２１】図１に示すように風雨に晒される墓石設置されている場所を目隠・仕切りできる目隠し柵において、図５示すように所定場所に設置されたミニ墓石の周囲２面に固定できるように、当該目隠し柵に、樹脂処理したゴムの木材を使用して、幅７００ｍｍ、高さ７００ｍｍの寸法の正方枠体で、当該目隠し柵の内面に１５ｍｍ幅の格子を縦並びと縦横十文字並びにして、格子間の間隔を縦横それぞれ５００ｍｍの状態である格子組子状と縦柵状によって構成された格子組子状正方体の２面体を墓石本体の周囲に設置できる墓石用目隠し柵にした。【００２２】図１に示すように目隠し柵の格子組子状正方体における目隠し柵に使用された、樹脂処理したゴムの木材において、フェノール樹脂を含侵処理したゴムの木材は、厚さ５０ｍｍ、幅５０ｍｍの２本縦枠と、厚さ５０ｍｍ、幅５０ｍｍの上下枠でなり、内部に張る格子の板材として、幅１５ｍｍの格子で縦並びと縦横十文字並びにして組み立てられた２種類の格子組子で構成されており、装飾性、目隠し性、通気性を向上させるために、図４に示すように内部に格子間隔と特殊格子組子として仏門の模様を入れた曲り模様、並びに幾何学模様の格子組子を設けた。【００２３】前記目隠し柵の格子組子状正方体は、上部に飾り模様のＲ曲状を設けた移動型であって、装飾的格子組子を内部に持つ目隠し柵の正方枠体の２面体を丁番的連結して、安定的に固定した。これによって目隠し的に墓石を設置出来て、適宜お参りができるようになり、故人との会話が楽しくなった。
【実施例２】
【００２４】図２に示すように、風雨に晒される墓石設置されている場所を目隠・仕切りできる目隠し柵において、庭内に設置されたミニ墓石の周囲１〜４面に固定できるように、当該目隠し柵にアルミニウム材を格子桟として使用して、幅１０００ｍｍ、高さ１５００ｍｍの寸法の長方枠体で、当該目隠し柵の内面に１５ｍｍ幅の格子桟を縦並び、と横並びにして、格子間の間隔を縦横それぞれ３０ｍｍと５０ｍｍの状態である柵状によって構成された格子組子状長方体の１面体を墓石本体の周囲に設置できる墓石用目隠し柵であった。【００２５】目隠し柵の格子組子状長方体、又は格子組子状正方体における目隠し柵に使用された装飾材で被覆したアルミニウム材は、厚さ５０ｍｍ、幅６０ｍｍの２本縦枠と、厚さ５０ｍｍ、幅１００ｍｍの上下枠でなり、内部に張る格子の板材として、幅１２ｍｍの格子桟で縦並びと横並びにして組み立てられた１〜５種類の格子組子で構成されており、装飾性、目隠し性、通気性を向上させるために、内部に格子間隔と特殊格子組子として幾何学模様の格子組子を適切な間隔で設けた。【００２６】前記目隠し柵の格子組子状長方体は、上部に飾り模様を設けた据え付け型であって、装飾的格子組子を内部に持つ目隠し柵の長方枠体の１面体を安定的に固定した。
【実施例３】
【００２７】実施例１と同様に、図１に示すように風雨に晒される墓石設置されている場所を目隠・仕切りできる目隠し柵において、図５示すように設置されたミニ墓石の周囲２面に固定できるように、当該目隠し柵に、樹脂処理したゴムの木材を使用して、幅６００ｍｍ、高８００ｍｍの寸法の長方枠体で、当該目隠し柵の内面に１５ｍｍ幅の格子を縦並びと横並びにして、格子間の間隔を横それぞれ１００ｍｍの状態である格子組子状と縦柵状によって構成された格子組子状正方体の３面体を墓石本体の周囲に設置できる墓石用目隠し柵にした。【００２８】図１に示すように目隠し柵の格子組子状正方体における目隠し柵に使用された、樹脂処理したゴムの木材において、フェノール樹脂を含侵処理したゴムの木材は、厚さ５０ｍｍ、幅５０ｍｍの２本縦枠と、厚さ５０ｍｍ、幅５０ｍｍの上下枠でなり、内部に張る格子の板材として、幅１５ｍｍの格子で縦並びと横並びにして組み立てられた３種類の格子組子で構成されており、装飾性、目隠し性、通気性を向上させるために、図４に示すように内部に格子間隔と特殊格子組子として仏門の模様を入れた曲り模様、並びに幾何学模様の格子組子を設けた。【００２９】前記目隠し柵の格子組子状長方体は、上部に飾り模様のＲ曲状を設けた据え付け型であって、装飾的格子組子を内部に持つ目隠し柵の長方枠体の３面体を丁番的連結して、安定的に固定した。これによって庭内に母屋から目隠し的に墓石を設置出来て、適宜お参りができるようになり、故人との会話が楽しくなった。
【符号の説明】
【００３０】１．墓石用目隠し柵
２．格子
３．枠体
４．格子組子模様
５．正方升型
６．長方枠体
７．桟
８．固定台
９．樹木
１０．仏門模様
１１．縦並び
１２．横並び
１３．十文字並び
１４．植木
１５．墓石
１６．目隠し、仕切り
１７．飾り模様
１８．Ｒ曲状
１９．ゴムの木
２０．アルミニウム
２１．樹脂
【図１】
0003217180.tif 000003
【図２】
0003217180.tif 000004
【図３】
0003217180.tif 000005
【図４】
0003217180.tif 000006
【図５】
0003217180.tif 000007